(57)【要約】      （修正有）【課題】ワイヤーやロープに適用して用いられ、導索器への装着作業が格段に改善された装着構造を備えた導索器用ガードを提供する。【解決手段】基材１と、基材の船外側の端部２に設けた保護垂れ幕部材と、基材の左右両辺縁６に夫々縫着され一方の端８に荷締機１０が設けられた締結ベルト７と、基材の船外側の端部２に所定間隔置きで縫着され先端に簡易締付具１３を備えた複数本の締付ベルト１１と、帯紐状の締付ベルト１１に対応させて船外側に設けた同数本の締付ベルト１５と、保護垂れ幕部材に縫着され先端に夫々簡易締付具１９が設けられた締付ベルト１７と締付ベルト１７に対応して基材の船内側の端部５に縫着された締付ベルト２０と、更に導索器Ｃのラッパ口の船外側の周縁に係止される嵌合部を備えた係止具とから構成される。【選択図】図１
0003217172.tif 000002
【実用新案登録請求の範囲】
【請求項１】
導索器の内外方向に沿った方向の中央付近がこの導索器のロープ挿通孔の中心部内周面寸法に合せて小径で、内外両端部に向かうに従って当該導索器のラッパ口の周縁の周長に合せて順次大径に構成された基材と、この基材の船外側の端部でその左右方向中央部位に一体に連設された保護垂れ幕部材が備わって成り、前記基材の左右両辺縁に重合させて両端を当該辺縁の船、内外の端部から長く突出させて縫着されると共に、一端には荷締機が連設された帯紐状の締結ベルトと、更に前記基材の船外側の端部の前記左右両辺縁に夫々寄った部位には所定間隔置きで複数本の帯紐状の締付ベルトが、当該端部から突出した先端に簡易締付具を備えて設けられると共に、船内側の端部の前記左右両辺縁に夫々寄った部位には前記船外側に設けた前記帯紐状の締付ベルトに対応させると共に先端を当該端部から長く突出させて同数本の帯紐状の締付ベルトが連設され、前記保護垂れ幕部材には左右方向の両端部から先端を更に横外方へ向かって突出させると共に、両先端に夫々簡易締付具が設けられた帯紐状の締付ベルトが一体に縫着され、且つ、当該締付ベルトに対応して前記基材の船内側の端部には帯紐状の締付ベルトが一体に縫着され、更に前記導索器の船外側のラッパ口の周縁に係止される嵌合部を備えた係止具を備えていることを特徴とする導索器用ガード。
【請求項２】
基材は短冊形の複数枚のエステル繊維を主材とした布を縫製して構成されている請求項１記載の導索器用ガード。
【請求項３】
簡易締付具はダブルリングから成る前記１〜２のいずれかに記載の導索器用ガード。
【請求項４】
簡易締付具は荷締機である請求項１〜３のいずれかに記載の導索器用ガード。
【考案の詳細な説明】
【技術分野】
【０００１】
この考案は、主として船舶用ホーサーロープ、タグボート用曳綱、船舶用ロープに、また、必要に応じて養殖、定置、底曳等の水産漁業用ロープ、又は陸上用一般ロープなどあらゆるワイヤーやロープ（この考案において以下単にロープと総称する）に適用して用いられる、例えば船舶の甲板上に設置されたクロードチョックに代表される導索器のガードに関する。
【背景技術】
【０００２】
海洋用語から見ると、導索器は、チョック（ｃｈｏｃｋ）やフェアリーダー（ｆａｉｌｅａｄｅｒ）と呼ばれている。具体的には、例えばタグボート用曳綱や船舶用ホーサーロープを繰り出し或いは繰り入れるときに、そのガイドをするために、船舶の甲板に設けられている。形状はリング状（クローズドチョック）であったり、上方が開放されたＣ字状（オープンチョック）であったりする。
【０００３】
従来から、ロープは通常その船舶の各導索器と接する部位がおおむね決まっている。
しかし、これらの接触部位では、これら導索器との当たり面が摩擦により磨耗する。特に繊維製ロープの使用中の磨耗損傷はこの部位で生じる場合が大きな比率を占めている。
【０００４】
そこで、これらの部位には、プロテクターと呼ばれる保護材を囲繞して、ロープの摩損を少なくし、ロープの寿命が少しでも長くなるように工夫されている。具体的には、長方形の当て布をロープの周囲に巻き付けたものである。
【０００５】
しかし、この従来のロープに巻きつけるタイプのプロテクターは、一般的にはポリエステル繊維を平織した生地が採用されている。加えて、矩形のプロテクターの短片に設けたループ片に縛り紐（図外）を通して、これでロープに縛り付けるために、プロテクターの取り付け位置を設定するのがどうしても目分量になってしまい、プロテクターと導索器とを正しく接当させるのが困難であった。つまり、係留作業の開始に当たっては、まずこのプロテクターをロープの所要の箇所に当て付けて、取り付ける。ところが、現実には、ロープ繰り出し中やその後のロープ緊張時に、ロープ自体の伸びなどもあって、当初取り付けた位置がピタリと導索器とフィットしない。その結果、導索器に対してプロテクターが旨く接当せず、再度プロテクターの取り付け位置を調整する必要があった。従ってまた、プロテクターの取り付け作業にも、結果的に多くの手数と時間を要する。
【０００６】
そのために、ロープへのプロテクターの取り付け手間を要せず、しかも導索器との不用意な摩擦をなくし、ロープの耐用年数を長くできる手段が要望されている。
【０００７】
この要望に応えるために、本考案の出願人は先に、ロープにプロテクターを取り付けるという手法を破棄し、新たな手段を考案し、提案した（特許文献１参照）。
この提案に係る導索器用ガードは、ポリエステル系合成繊維からなる基材と、この基材に一体的に縫着された高機能繊維からなる補強帯布と、基材に一体に縫着されてなる固定紐の挿通部形成布片とから構成された導索器用ガードであって、前記基材が短冊形に形成された基材構成布片の複数枚をその長辺側の辺縁を互いに付き合わせて縫製することで矩形に形成され、この基材と縦・横ほぼ同寸法の矩形に形成された補強布帯を前記基材に重合して一体に縫着して構成して成り、斯かるガードを導索器のロープ挿通孔に直に装着することでロープの保護をしようとしたものである。
【０００８】
また、この従来のガードは、ガードの周縁にスリングベルトを用いて締結紐を挿通した
り、括り付けるためのアイを形成し、このアイに締結紐を通したり、括り付けたりして、ガードを導索器に括り付けるようにしてある。
【先行技術文献】
【特許文献】
【０００９】
【特許文献１】実用新案登録第３１９１３０８号公報
【考案の概要】
【考案が解決しようとする課題】
【００１０】
本考案者らが提案した前記導索器用ガードは、導索器のロープ挿通孔へのガードの馴染みが可及的に改善され、位置ずれなどせず、長期間にわたってしっかりと装着でき、ロープの保護には大変効果のあるガードであることが実証されている。
【００１１】
しかしながら、上記のように、ガードは締結紐によって導索器に括り付けるようにしてあるために、この締結紐は一本一本を結える作業を要求され、扱いが煩わしい上に、時間も要する。
【００１２】
そこで、本考案が解決しようとする課題は、本考案者らが先に提案した上記ガードの本来的な利点、即ち導索器のロープ挿通孔へのガードの馴染みが可及的に改善され、位置ずれなどせず、長期間にわたってしっかりと装着できることをそのまま踏襲しながら、導索器への装着作業が格段に改善される装着構造を備えた導索器用ガードを提供することである。
【課題を解決するための手段】
【００１３】
以上の技術的な課題を解決するために、この考案の請求項１記載の導索器用ガードは、導索器の内外方向に沿った方向の中央付近がこの導索器のロープ挿通孔の中心部内周面寸法に合せて小径で、内外両端部に向かうに従って当該導索器のラッパ口の周縁の周長に合せて順次大径に構成された基材と、この基材の船外側の端部でその左右方向中央部位に一体に連設された保護垂れ幕部材が備わって成り、前記基材の左右両辺縁に重合させて両端を当該辺縁の船、内外の端部から長く突出させて縫着されると共に、一端には荷締機が連設された帯紐状の締結ベルトと、更に前記基材の船外側の端部の前記左右両辺縁に夫々寄った部位には所定間隔置きで複数本の帯紐状の締付ベルトが、当該端部から突出した先端に簡易締付具を備えて設けられると共に、船内側の端部の前記左右両辺縁に夫々寄った部位には前記船外側に設けた前記帯紐状の締付ベルトに対応させると共に先端を当該端部から長く突出させて同数本の帯紐状の締付ベルトが連設され、前記保護垂れ幕部材には左右方向の両端部から先端を更に横外方へ向かって突出させると共に、両先端に夫々簡易締付具が設けられた帯紐状の締付ベルトが一体に縫着され、且つ、当該締付ベルトに対応して前記基材の船内側の端部には帯紐状の締付ベルトが一体に縫着され、更に前記導索器のラッパ口の船外側の周縁に係止される嵌合部を備えた係止具を備えて構成されている。
【００１４】
以上の構成による導索器用ガードは、ロープが導索器と接触する部位に巻掛けられて、締結される。つまり、図２、３に示すように、この導索器のロープ挿通穴の中心部内周面並びにこれに連なるラッパ口、そしてこのラッパ口の船内、外の前記周縁にわたって、取り付けられる。
【００１５】
より具体的には、先ず、前記保護垂れ幕部材のある側を導索器の船外側にして基材を導索器のロープ挿通孔を通して送り出し、基材の前記中央部分がこの導索器の前記中心部内周面に合うように位置合わせして装着する。引き続き前記係止具の嵌合部を導索器の船外側の周縁に差込む。次いで、図１に示すように、前記基材の左右両辺縁に縫着されている前記締付ベルトの巻取り側となる端を導索器の側部側へ回り込ませて前記荷締機を介して
巻き取り、所定の締付け強度に至った時点で巻取りを停止し、締付け作業を完了する。
【００１６】
引き続いて、前記基材の船内・外側の端部の左右両辺縁にそれぞれ寄った部位に所定間隔で縫着されている複数本の巻取り側となる前記締付ベルトの端を導索器の側部側へ回り込ませて前記簡易締結具によって締結する。
【００１７】
そして最後に前記保護垂れ幕部材に設けられた締付け側のベルトとなる船内側の前記締付ベルトの先端を導索器の側部側へ回り込ませて前簡易締付具によって締結する。
【考案の効果】
【００１８】
このように、この考案の請求項１記載の導索器用ガードは、基材を導索器に装着するにあたって、従来の紐を結えると言う手法ではなく、締付ベルトをラチェット式ベルト荷締機等で代表される荷締機やダブルリング等で代表される簡易締結具によって締付ベルトの締付け作業を行うようにしたので、締付け操作の大幅な簡略化が図れる上に、締付け作業の大幅な短縮に寄与できるようになった。
【００１９】
特に、荷締機を前記基材の左右の最上位部分に設けた締付ベルトに取り付け、この荷締機によって巻取り側の締付ベルトを巻き取るので、通常の人力以上の締め付け力を巻取り側並びに締付ベルト全体に働かせることが出来る。従って、ロープによる摩擦力で下方へ引きずられる傾向がある基材の左右上位の位置部分を確りと導索器に抱き付かせておくことが出来る。併せて、前記係止具を導索器の船外側の周縁の左右に係合させることによって、ロープの左右方向の引っ張り力に強力に対抗できるので、基材の取り付け姿勢が妄りに崩れるおそれも少なく、また、基材の船外側の端部が船内側に引き摺り込まれるおそれもなく、一層確りと基材を導索器に装着しておける。
【００２０】
しかも、ロープを引き込む（船内側に巻き込み収納する）際に、ロープはこの基材に擦れ乍ら上がってくるので、その摩擦によって基材の船外側の端部が船内側へ引き込まれる傾向がある。しかし、前記簡易締結具によって導索器にしっかりと締結された前記保護垂れ幕部材の存在によっても、基材の船外側の端部が不用意にロープと共に船内側へ引き摺り込まれるおそれを未然に上手く防止でき、ロープの摩損を一層効果的に防止できる。
【００２１】
また、基材には、夫々に襞が備わっていて、この襞が伸びることによって寸法の長い導索器の前記船内、外側の周縁に対して、基材の船内・外側の端部の長さを上手く合致させることができる。その結果、導索器の前記中心部内周面と前記周縁に寸法差があるにもかかわらず、基材を皺の発生を可及的に少なくして、的確に導索器に巻き掛けて、締結できる。したがってまた、ロープの繰り出し並びに繰り込みを大変滑らかに行え、ロープの滑りを旨く保ち、不用意なロープの摩損を防止できる。
【００２２】
更に、この考案において、請求項２に記載のように、基材は短冊形の複数枚のエステル繊維を主材とした布を縫製して構成されているのが望ましい。
従来の一枚もののようにごわつきがなく、少なくとも基材が蛇腹折れのように小幅で折れ曲がるので、導索器のロープ挿通孔の表面に良く馴染んで接当し、位置ずれするおそれを長日月の間防止できるようになるからである。併せて一般繊維から構成されるので、大変廉価に提供できるからである。
【図面の簡単な説明】
【００２３】
【図１】この考案に係る実施形態の導索器用ガードを示し、基材を導索器に装着した状態を示す部分拡大側面図である。
【図２】基材に各締付ベルト、荷締機並びに簡易締結具を取り付けて拡開された状態を船外側から見た状態を示す説明正面図である。
【図３】基材に各締付ベルトを取り付けて拡開された状態を船内側から見た状態を示す説明正面図である。
【図４】基材を導索器に装着した状態を船外側から見た正面図である。
【図５】基材の導索器に装着した状態を船内側から見た正面図である。
【図６】基材の船外側の裏面に各締付ベルト、荷締機、簡易締結具並びに係止具の取り付け状態を示す裏面図である。
【図７】係止具の取り付け部分の拡大説明断面図である。
【図８】基材を示し、（Ａ）は表布の外観図、（Ｂ）は裏布の外観図である。
【図９】表布と裏布を重合縫製した基材の外観図である。
【図１０】裏布に襞を作製した状態を示す基材の裏面からの外観図である。
【考案を実施するための形態】
【００２４】
以下、図面を参照して本考案に係る導索器用ガードを船舶の甲板に設けられた、導索器の一例であるクローズドチョックに適用した場合について、図１〜１０の記載に基づいて説明する。
【００２５】
尚、以下に示される実施態様は、本考案を具体化するための一形態であって、本考案をその範囲内に限定するものではなく、また、例示された個々の構造、形状は本考案の趣旨と矛盾しない範囲で相互に組み合わせたり、援用したりすることが出来ることは言うまでもない。
【００２６】
船舶の係留などの一般的な仕様に当たっては、図４、５に示すように、ロープＲの一例としての繊維ロープは、前記導索器Ｃのロープ挿通孔Ｃ１の下半分に接触する場合が殆どであるために、ロープ挿通孔Ｃ１の全周を囲繞するのは、かえって無駄であり、又重量も重くなり、取り扱いも不便であるなどの観点から、通常の使用時には、ほぼ下半分に適用できる大きさ寸法であれば十分である。以下、前記導索器Ｃの前記ロープ挿通孔Ｃ１の下半周部分からラッパ口Ｃ２のほぼ下半分に適用できる大きさ寸法に形成された場合について説明する。
【００２７】
本実施形態の導索器用ガードは、図２〜４に示すように、基材１と、この基材１の船外側の端部２に一体に縫着された保護垂れ幕部材３とを備えて構成される。
【００２８】
この基材１は、図２〜５に示すように、導索器Ｃの内外方向に沿った方向の中央部分４がこの導索器Ｃのロープ挿通孔Ｃ１の中心部内周面Ｃ３の下半周分とほぼ同等の長さ寸法に合せて小径で、つまり短く（便宜上、図４でＤと表示）、前記船外側の端部２並びに船内側の端部５に向かうに従って当該導索器Ｃのラッパ口Ｃ２の船外側の周縁Ｃ４並びに船内側の周縁Ｃ５の（図４、５）の下半周部の周長に合せて順次大径に、つまり長く（便宜上、図４でｄと表示）なるように構成されている。
【００２９】
図１〜３に示すように、前記基材１の左・右両辺縁６にはこれに重合させて帯紐状の締結ベルト７が縫着される。この締結ベルト７の両端８、９は当該辺縁６の前記船、内外の端部 2、５から長く突出され、一方の端８には荷締機１０が連設されている。従って、前記他方の端９の側の締付ベルト部位７Ａがこの荷締機１０によって巻き取られる巻取り側締付ベルト部位となる。
【００３０】
更に、図１, ２に示すように、前記基材１の船外側の端部２の前記左右両辺縁６に夫々寄った部位には所定間隔置きで複数本の別の帯紐状の締付ベルト１１が縫着されている。これらの複数本の別の帯紐状の締付ベルト１１の当該船外側の端部２から突出した端１２には簡易締付具１３が設けられている。一方、図１、３に示すように、船内側の端部５の前記左右両辺縁６に夫々寄った部位には前記船外側に設けた前記複数本の帯紐状の締付ベ
ルト１１に対応させると共に、端１４を当該船内側の端部２から長く突出させて同数本の巻取り側となる帯紐状の締付ベルト１５が連設されている。
【００３１】
また、前記保護垂れ幕部材３の下端にはその左右方向に沿い、この保護垂れ幕部材３の両端部１６を越えた長さの別の締付ベルト１７が縫着されている。そして、その前記両端部１６から更に横外方へ向かって突出した左右の先端１８には夫々簡易締付具１９が設けられていると共に、当該締付ベルト１７に対応して前記基材１の船内側の端部５には巻取り側となる帯紐状の締付ベルト２０が一体に縫着されている。
【００３２】
また、図６に示すように、前記導索器Ｃのラッパ口の船外側の周縁Ｃ４に係止される係止具２１が備わっている。この係止具２１は欧文字のＵ字形状に折り曲げられてなる嵌合部２１Ａを備え、当該嵌合部２１Ａを前記船外側の周縁Ｃ４に嵌合して前記基材１の横ずれを防止するように働く。
【００３３】
以下、上記の構成を更に詳述する。
基材１は矩形マット状を基本の形態としていて、縦横の比率は概ね１対１．３程に形成されている。また、この基材１は、図８（Ａ）、（Ｂ）に示すように、基本的には、矩形の表布２２と、この表布２２の裏面に一体的に縫着された、この表布２２とほぼ同寸の矩形の裏布２３とから構成される。表布２２は前記導索器Ｃに装着されたときに、ロープＲと接触する側で、裏布２３は導索器Ｃ側に接触する。
【００３４】
更に具体的には、前記表布２２並びに裏布２３は、ポリエステル合成繊維を素材にして得られた短冊形（平面視で長方形）の布から成る構成片Ｐ、Ｐ１の夫々複数枚で構成され、図例では、表布２２は７枚、裏布２３は６枚を用いている。これら表布２２並びに裏布２３の前記構成片Ｐ、Ｐ１は共に、長辺側（縦方向に沿う側：図の紙面上の上下方向に沿った方向）の辺縁２２Ａ、２３Ａを互いに付き合せて、矩形に形成して得られる。
【００３５】
この実施例に開示された前記表布２２の縦横の寸法は、前記縦方向（この表布２２の長辺に沿った方向）が６６０ｍｍ、横方向（この表布２２の短辺に沿った方向）が８４０ｍｍに形成されている。また、同様に、裏布２３の縦横の寸法は、前記縦方向（この裏布２３の長辺に沿った方向）が６６０ｍｍ、横方向（この裏布２３の短辺に沿った方向）が７２０ｍｍに形成されている。更に、各表布２２並びに各裏布２３の夫々の構成片Ｐ、Ｐ１の横幅はほぼ１２０ｍｍに形成されている。
【００３６】
従って、基材１そのものの大きさは、導索器Ｃに装着される前の段階では、縦方向が６６０ｍｍで、横方向が８４０ｍｍに形成されている。しかし、導索器Ｃに装着されて、ロープＲを保護するに当たっては、この基材１の長辺方向、つまり船内・外の前記端部２、５の横幅寸法が前記導索器Ｃの前記ラッパ口Ｃ２の形状に合わせて、中心側よりも長くなるよう特殊な構造が施されている。
【００３７】
即ち、図８、９に示すように、前記表布２２の構成片Ｐ夫々の短辺方向の中央２４が前記裏布２３の前記構成片Ｐ１の長辺側の辺縁２３Ａの付き合せ部分２５の上に位置するようにして、この裏布２３の上に重ね合わせる。次いで、表布２２と裏布２３の夫々の長辺方向の中央部分２６とこの中央部分２６からやや両端２７、２８（図８、９の紙面上の上下端）へ夫々所定の間隔を離れた２か所の都合三箇所で、横一文字状にミシン縫着線２９で示されるように縫着される。これによって、表布２２と裏布２３が長辺方向の中央部分２６で一体に縫着されて基材１が縫製される。図３中、３０は縫着予定線を示す。
【００３８】
従って、この段階では、前記表布２２並びに裏布２３の夫々の前記構成片Ｐ、Ｐ１の前記船内・外側の端部２７、２８から前記ミシン縫着線２９までの部位では自由端になって
いる。
【００３９】
次いで、図４、５に示すように、前記導索器Ｃのロープ挿通孔Ｃ１の中心部  内周面Ｃ３の半周長Ｄと前記ラッパ口Ｃ２の船内、外の周縁Ｃ４、Ｃ５の半周長ｄの大小差に上手く適応させて、前記基材１をこの導索器Ｃに皺のない状態でより的確に巻き掛けて、締結でき、ひいてはロープＲの繰り出し並びに繰り込みを、ロープＲへの損傷をより少なくして、より一層円滑に行えるようにする必要がある。
【００４０】
この要求を満たすために、先ず図１０に示すように、基材１の船外側の端部２並びに船内側の端部５、つまり前記表布２２、また裏布２３の前記ミシン縫着線２９からそれぞれの長辺側の両端部２７、２８に至る前記自由端となっている辺縁２２Ａ、２３Ａの部位を用いて襞３１を形成し、当該襞３１によって、導索器Ｃの中心部内周面Ｃ３と前記ラッパ口Ｃ２の船内、外の周縁Ｃ４、Ｃ５との寸法差を吸収するようにした。
【００４１】
前記襞３１は、各裏布２３の夫々の前記ミシン縫着線２９から、前記船内、外側の端２７、２８までの前記自由端となっている前記構成片Ｐ１の左右の辺縁２３Ａ夫々が、前記内・外の端２７、２８に向かうほど順次、夫々が対応する表布２２の前記構成片Ｐの長辺側の辺縁２２Ａに、ミシン縫着線３２に示されるように、部分円弧を描くようにしてこの表布２２の構成片Ｐに縫着される。このようにして、裏布２３の６枚の構成片Ｐ１夫々の前記中央部分２６のミシン縫着線２９から外側の部位でその左右の中央部分に、前記船内、外側の端２７、２８程高くなって山形に盛り上がった襞３１が形成される。
【００４２】
この襞３１は、基材１を左右に引っ張ると、図２〜５に示すように、当該襞３１が山形から平らに伸ばされ、この基材１の前記導索器Ｃの前記ラッパ口Ｃ２の船内、外の周縁Ｃ４、Ｃ５に相対する前記船外側の端部２並びに船内側の端部５が横方向に拡がり、その長さを前記中央部分４の部位の長さよりも長く（１１０〜２６０ｍｍ程）できる。その結果、寸法の長い前記導索器Ｃの前記ラッパ口Ｃ２の船内・外側の周縁Ｃ４、Ｃ５に対して、この基材１の船内・外側の相対向する二つの前記端部２、５の長さを上手く合致させることができる。従って、前記導索器Ｃの中心部内周面Ｃ３とラッパ口Ｃ２の前記周縁Ｃ４、Ｃ５との間に寸法差があるにもかかわらず、図４、５に示すように、基材１を皺の発生を可及的に少なくして、的確に導索器Ｃに装着できる。
【００４３】
前記保護垂れ幕部材３は、図２、３に示すように、基材１と同様のポリエステル合成繊維が採用されている。前記基材１の表布２２や裏布２３同様の短冊形（平面視で長方形）の布で、複数枚を横寝かせ姿勢に並べ、互いの上辺縁と下辺縁を横一文字に縫着する、或いは上下方向で互いに重合させるなどして矩形に形成されている。基材１へは、前記襞３１を拡開した姿勢で、当該保護垂れ幕部材３の上端部をこの基材１の前記船外側の端部２の左右方向の中央部位２Ａに一体に縫い付けて一体に取り付けられる。
【００４４】
また、基材１の左右両辺縁６に縫着される前記締付ベルト７は、帯紐状のスリングベルトが採用されている。基材１の左右両辺縁６は、図１、４、５に示すように、当該基材１を導索器Ｃに装着した時には、下半分の内でも最も上位に位置する。そのために、当該上位の位置の基材１部分はロープＲによる摩擦力で下方へ引きずられる傾向があるため、特にこの上位の位置部位を確りと導索器Ｃに抱き付かせておく必要が生じる。斯かる理由から、前記締付ベルト７の船外側の一端８には荷締機１０、図例ではラチェット式ベルト荷締機が取り付けられ、人力以上の締め付け力が働くように構成されている。
【００４５】
この荷締機１０は周知の構造であって、前記締付ベルト７の巻取り側となる端９を通す溝を備えた巻取り軸１０Ａと逆転防止のためのラチェット構造部（図外）と前記巻取り軸１０Ａを回転操作する操作レバー１０Ｂを備えて成る。締付ベルト７の締付け要領、操作
手順は周知のとおりである。
【００４６】
また、前記基材１の船外側の端部２の前記左右両辺縁６に夫々寄った部位に所定間隔置きで縫着された複数本の別の帯紐状の締付ベルト１１、更に船内側の端部５の前記左右両辺縁６に夫々寄った部位に前記船外側に設けた前記複数本の帯紐状の締付ベルト１１に対応させて同数本設けられた帯紐状の締付ベルト１５は共に帯紐状のスリングベルトが採用されている。更に、図１〜５に示すように、前記基材１の船外側の端部２から突出する側の締付ベルト１１の端１２に設けられた簡易締付具１３には、本実施形態では、一例として欧文字のＤ字形のダブルリングが採用されている。当該ダブルリングはこの締付ベルト１１の先端に設けられたアイ３３（図１参照）に取り付けられる。
【００４７】
次に、前記保護垂れ幕部材３は、図２〜４に示すように、前記基材１の前記船外側の端部２で、その左右方向の中央部位２Ａに一体に連設されている。この保護垂れ幕部材３に縫着された前記別の締結ベルト１７の左右の先端１８には夫々前記と同様のダブルリングから成る簡易締付具１９が設けられていると共に、当該締付ベルト１７に対応して前記基材１の船内側の端部５には、図３に示すように、締付け側となる帯紐状の締付ベルト２０がその先端３４をこの保護垂れ幕部材３の左右方向の両端部１６から横外方へ長く突出させて一体に縫着されている。
【００４８】
この簡易締結具１９の締付け操作は、前記基材１に設けられた前記締付ベルト１５の簡易締結具１３の締付操作と同じ操作で行われる。この場合も簡便に締付ベルト２０の締め付けが可能で、ひいては、基材１の装着姿勢が確保され、作業能率の大幅な改善並びに作業時間の大幅な短縮が図れる。
【００４９】
特に、この保護垂れ幕部材３に設けられた前記別の締付ベルト１７と当該別の締付ベルト１７に対応する前記基材１の船内側の端部５に設けられた前記締付ベルト２０とは共に、他の前記締付ベルト１１、１５とは異なり、注目されやすい明るい色調を持つベルトスリングを用いて作られている。保護垂れ幕部材３の締付ベルトであることを明示して、前記他の締付ベルト１１、１５と間違わないようにするための配慮である。
【００５０】
更に、前記基材１は、図６、７に示すように、前記導索器Ｃのラッパ口Ｃ２の船外側の周縁Ｃ４に係止される係止具２１を備えている。当該係止具２１はその嵌合部２Ａを前記周縁Ｃ４に嵌合させる。
【００５１】
そして、前記係止具２１は、金属板製で、図６、７に示すように、前記基材１の船外側の端部２にその幅方向に沿って所定間隔を開けて取り付けられる。尚、図例では４か所に設けられる。この係止具２１は、図７に示すように、長方形の平板部分２１Ｂを備え、その長尺方向の一端側と他端側が夫々欧文字のＵ字形状に折り曲げられている。一端側は前記導索器Ｃのラッパ口Ｃ２の船外側の周縁Ｃ４に嵌合される前述の嵌合部２１Ａである。また、他端側は前記嵌合部２１Ｂとは反対側に回り込んで折り曲げられて係合部２１Ｃに形成される。この係合部２１Ｃは、そのＵ字形の凹入部の幅が前記嵌合部２１Ａよりも狭く形成され、基材１側とこれに逢着してあるに布製の取付け片２１Ｄの間に差し込んで取り付けられる。この係止具２１は、その前記嵌合部２１ＡのＵ字形の凹入を前記ラッパ口Ｃ２の船外側の周縁Ｃ４に嵌合させて、前記導索器Ｃに対する位置ずれ、殊に横ずれを上手く防止し、基材１の装着姿勢を確保するように働く。
【００５２】
このように構成された導索器用ガードは、ロープＲがクローズドチョックＣと接触する部位に巻掛けられて、締結される。つまり、図１、４、５に示すように、このクローズドチョックＣのロープ挿通穴Ｃ１の中心部内周面Ｃ３並びにこれに連なるラッパ口Ｃ２、そしてこのラッパ口Ｃ２の船内、外の前記周縁Ｃ４、Ｃ５にわたって、取り付けられる。
【００５３】
より具体的には、先ず、前記保護垂れ幕部材３のある側を導索器Ｃの船外側にして基材１を導索器Ｃのロープ挿通孔Ｃ１を通して送り出し、基材１の前記中央部分４がこの導索器Ｃの前記中心部内周面Ｃ３に合うように位置合わせして装着する。
【００５４】
引き続き前記係止具２１の嵌合部２１ＡのＵ字形の凹入を導索器Ｃの船外側の周縁Ｃ４に差込む。
【００５５】
次いで、前記係止具２１の嵌合部２１ＡのＵ字形の凹入が導索器Ｃの船外側の周縁Ｃ４に確りと差し込まれたことを確認した後に、前記基材１の左右両辺縁６に縫着されている、前記締付ベルト７の巻取り側となる端９を導索器Ｃの側部側へ回り込ませて前記荷締機１０の巻取り軸１０Ａの溝に通し、そのまま弛みのない程度に引っ張り、長さを調整する。次いで、操作レバー１０Ｂを数回前後に動かしてこの締付ベルト７の巻取り側を巻き取り、所定の締付け強度に至った時点で巻取りを停止し、操作レバー１０Ｂを倒してロックし、締付け作業を完了する。
【００５６】
前記荷締機１０は、通常の人力以上の締め付け力を巻取り側並びに締付ベルト７全体に働くように構成されているので、ロープＲによる摩擦力で下方へ引きずられる傾向がある基材１の左右上位の位置部分を確りと導索器Ｃに抱き付かせておくことが出来る。
【００５７】
引き続いて、前記基材１の船内・外側の端部４、５の左右両辺縁６にそれぞれ寄った部位に所定間隔で縫着されている複数本の巻取り側となる前記締付ベルト１５の端１４を導索器の側部側へ回り込ませ、二つのリング内に一旦挿通させ、その後ダブルリングの内の一つＤリングを通し、所要の位置まで締付ベルト１５を引っ張ることによって締結できるものである（以上の緊締操作は従来周知である）。以上の作業を、上位の締付ベルト１５から順に下位の締付ベルト１５へと繰り返して、これら締付ベルト１５の締付けを完了する。ダブルリングからなる簡易締付具１３を用いることで簡便に締付ベルト１５の締め付けが可能で、ひいては、基材１の装着姿勢が確保され、作業能率の大幅な改善並びに作業時間の大幅な短縮が図れる。
【００５８】
そして最後に前記保護垂れ幕部材３に設けられた締付け側のベルトとなる船内側の前記締付ベルト２０の先端３４を導索器Ｃの側部側へ回り込ませ、先と同様にして、前簡易締付具１９の二つのリング内に一旦挿通させ、その後ダブルリングの内の一つＤリングを通し、所要の位置まで当該締付ベルト２０を引っ張ることによって締結できるものである。ダブルリングからなる簡易締付具１９用いることで簡便に締付ベルト２０の締め付けが可能で、ひいては、基材１の装着姿勢が確保され、作業能率の大幅な改善並びに作業時間の大幅な短縮が図れる。
【００５９】
従って、ロープＲは常にこの基材１に接触して、導索器Ｃには直に接触することがなく、ロープＲの摩損を可及的に少なくでき、耐用年数を格段に長くできる。
【００６０】
このように、基材１を導索器Ｃに装着するにあたって、従来の紐を結えると言う手法ではなく、締付ベルトを荷締機１０の一例としてのラチェット式ベルト荷締機や簡易締結具１３、１９の一例としてのダブルＤリングを採用して締付ベルトの締付け作業を行うようにしたので、締付け操作の大幅な簡略化が図れる上に、締付け作業の大幅な短縮に寄与できるようになった。
【００６１】
特に、荷締機１０を前記基材１の左右の最上位部分に設けた締付ベルト７に取り付けてこれによって巻取り側の締付ベルト９を巻き取ることによって、通常の人力以上の締め付け力を巻取り側並びに締付ベルト７全体に働かせることが出来、ロープＲによる摩擦力で
下方へ引きずられる傾向がある基材１の左右上位の位置部分を確りと導索器Ｃに抱き付かせておくことが出来る。併せて、前記係止具２１を導索器Ｃの船外側の周縁Ｃ４の左右に噛ませることによって、ロープＲの左右方向の引っ張り力に強力に対抗できるので、基材１の取り付け姿勢が妄りに崩れるおそれも少なく、一層確りと基材１を導索器Ｃに装着しておける。
【００６２】
また、ロープＲを引き込む（船内側に巻き込み収納する）際に、ロープＲはこの基材１に擦れ乍ら上がってくるので、その摩擦によって基材１の船外側の端部２が船内側へ引き込まれる傾向がある。しかし、締結具１９によって導索器Ｃにしっかりと締結された前記保護垂れ幕部材３を設けることによって、基材１の船外側の端部２が不用意にロープＲと共に船内側へ引きずり込まれるおそれを未然に上手く防止でき、ロープＲの摩損を一層効果的に防止できる。
【００６３】
更に、基材１を夫々短冊形に形成された複数枚の構成片Ｐ、Ｐ１から成る表布２２と裏布２３から構成し、しかもそれらの長辺側の辺縁２２Ａ、２３Ａを夫々互いに付き合せ、且つ前記表布２２と裏布２３は互いの短辺方向に位相を異ならせて重合させて一体に縫着されて矩形に形成されたものであるから、蛇腹折れのように小幅で折れ曲がり易く、導索器Ｃのラッパ口Ｃ２の前記船内、外の周縁Ｃ４、Ｃ５の周長ｄに上手く馴染ませて、皺の発生の少ない状態でより的確に巻き掛けることができる。更に、表布２２と裏布２３の夫々の構成片Ｐ、Ｐ１の長辺の付き合せ部位をラップさせないで、位相を異ならせて一体縫着してあるので、強度弱点部位が生ずるのを上手く阻止でき、長日月の使用にも十分安全に対応できる。
【００６４】
また、基材１には、夫々に襞３１が備わっていて、この襞３１が伸びることによって寸法の長い導索器Ｃの前記船内、外周縁Ｃ４、Ｃ５に対して、基材１の船内・外の端部２、５の長さを、これら各周縁Ｃ４、Ｃ５の長さに上手く合致させることができる。その結果、導索器Ｃの前記中心部内周面Ｃ３と前記周縁Ｃ４、Ｃ５に寸法差があるにもかかわらず、基材１を皺の発生を可及的に少なくして、的確に導索器Ｃに巻き掛けて、締結できる。したがってまた、ロープＲの繰り出し並びに繰り込みを大変滑らかに行え、ロープＲの滑りを旨く保ち、不用意なロープＲの摩損を防止できる。
【００６５】
以上の実施例において、クローズドチョックに代えてオープンチョップ、更にはフェアリーダー（ｆａｉｌｅａｄｅｒ）にも適用できることは言うまでもない。
【符号の説明】
【００６６】
１…基材
２…船外側の端部
２Ａ…中央部位
３…保護垂れ幕部材
４…基材の中央部分
５…船内側の端部
６…左右両辺縁
７、１１、１５、１７、２０…締付ベルト
１０…荷締機
１３、１９…簡易締結具
２１…係止具
１３…左右両辺縁
２２…表布
２３…裏布
３１…襞
Ｃ…クローズドチョック
Ｃ１…ロープ挿通孔
Ｃ２…ラッパ口
Ｃ３…中心部内周面
Ｃ４…船外側の周縁
Ｃ５…船外側の周縁
Ｐ、Ｐ１…構成片
Ｒ…ロープ
【図１】
0003217172.tif 000003
【図２】
0003217172.tif 000004
【図３】
0003217172.tif 000005
【図４】
0003217172.tif 000006
【図５】
0003217172.tif 000007
【図６】
0003217172.tif 000008
【図７】
0003217172.tif 000009
【図８】
0003217172.tif 000010
【図９】
0003217172.tif 000011
【図１０】
0003217172.tif 000012
【手続補正書】
【提出日】平成30年5月25日(2018.5.25)
【手続補正１】
【補正対象書類名】明細書
【補正対象項目名】全文
【補正方法】変更
【補正の内容】
【考案の詳細な説明】
【技術分野】
【０００１】
この考案は、主として船舶用ホーサーロープ、タグボート用曳綱、船舶用ロープに、また、必要に応じて養殖、定置、底曳等の水産漁業用ロープ、又は陸上用一般ロープなどあらゆるワイヤーやロープ（この考案において以下単にロープと総称する）に適用して用いられる、例えば船舶の甲板上に設置されたクロードチョックに代表される導索器のガードに関する。
【背景技術】
【０００２】
海洋用語から見ると、導索器は、チョック（ｃｈｏｃｋ）やフェアリーダー（ｆａｉｌｅａｄｅｒ）と呼ばれている。具体的には、例えばタグボート用曳綱や船舶用ホーサーロープを繰り出し或いは繰り入れるときに、そのガイドをするために、船舶の甲板に設けられている。形状はリング状（クローズドチョック）であったり、上方が開放されたＣ字状（オープンチョック）であったりする。
【０００３】
従来から、ロープは通常その船舶の各導索器と接する部位がおおむね決まっている。
しかし、これらの接触部位では、これら導索器との当たり面が摩擦により磨耗する。特に繊維製ロープの使用中の磨耗損傷はこの部位で生じる場合が大きな比率を占めている。
【０００４】
そこで、これらの部位には、プロテクターと呼ばれる保護材を囲繞して、ロープの摩損を少なくし、ロープの寿命が少しでも長くなるように工夫されている。具体的には、長方形の当て布をロープの周囲に巻き付けたものである。
【０００５】
しかし、この従来のロープに巻きつけるタイプのプロテクターは、一般的にはポリエステル繊維を平織した生地が採用されている。加えて、矩形のプロテクターの短片に設けたループ片に縛り紐（図外）を通して、これでロープに縛り付けるために、プロテクターの取り付け位置を設定するのがどうしても目分量になってしまい、プロテクターと導索器とを正しく接当させるのが困難であった。つまり、係留作業の開始に当たっては、まずこのプロテクターをロープの所要の箇所に当て付けて、取り付ける。ところが、現実には、ロ
ープ繰り出し中やその後のロープ緊張時に、ロープ自体の伸びなどもあって、当初取り付けた位置がピタリと導索器とフィットしない。その結果、導索器に対してプロテクターが旨く接当せず、再度プロテクターの取り付け位置を調整する必要があった。従ってまた、プロテクターの取り付け作業にも、結果的に多くの手数と時間を要する。
【０００６】
そのために、ロープへのプロテクターの取り付け手間を要せず、しかも導索器との不用意な摩擦をなくし、ロープの耐用年数を長くできる手段が要望されている。
【０００７】
この要望に応えるために、本考案の出願人は先に、ロープにプロテクターを取り付けるという手法を破棄し、新たな手段を考案し、提案した（特許文献１参照）。
この提案に係る導索器用ガードは、ポリエステル系合成繊維からなる基材と、この基材に一体的に縫着された高機能繊維からなる補強帯布と、基材に一体に縫着されてなる固定紐の挿通部形成布片とから構成された導索器用ガードであって、前記基材が短冊形に形成された基材構成布片の複数枚をその長辺側の辺縁を互いに付き合わせて縫製することで矩形に形成され、この基材と縦・横ほぼ同寸法の矩形に形成された補強布帯を前記基材に重合して一体に縫着して構成して成り、斯かるガードを導索器のロープ挿通孔に直に装着することでロープの保護をしようとしたものである。
【０００８】
また、この従来のガードは、ガードの周縁にスリングベルトを用いて締結紐を挿通したり、括り付けるためのアイを形成し、このアイに締結紐を通したり、括り付けたりして、ガードを導索器に括り付けるようにしてある。
【先行技術文献】
【特許文献】
【０００９】
【特許文献１】実用新案登録第３１９１３０８号公報
【考案の概要】
【考案が解決しようとする課題】
【００１０】
本考案者らが提案した前記導索器用ガードは、導索器のロープ挿通孔へのガードの馴染みが可及的に改善され、位置ずれなどせず、長期間にわたってしっかりと装着でき、ロープの保護には大変効果のあるガードであることが実証されている。
【００１１】
しかしながら、上記のように、ガードは締結紐によって導索器に括り付けるようにしてあるために、この締結紐は一本一本を結える作業を要求され、扱いが煩わしい上に、時間も要する。
【００１２】
そこで、本考案が解決しようとする課題は、本考案者らが先に提案した上記ガードの本来的な利点、即ち導索器のロープ挿通孔へのガードの馴染みが可及的に改善され、位置ずれなどせず、長期間にわたってしっかりと装着できることをそのまま踏襲しながら、導索器への装着作業が格段に改善される装着構造を備えた導索器用ガードを提供することである。
【課題を解決するための手段】
【００１３】
以上の技術的な課題を解決するためにこの考案の請求項１記載の導索器用ガードは、導索器の内外方向に沿った方向の中央付近がこの導索器のロープ挿通孔の中心部内周面寸法に合せて小径で、内外両端部に向かうに従って当該導索器のラッパ口の周縁の周長に合せて順次大径に構成された基材と、この基材の船外側の端部でその左右方向中央部位に一体に連設された保護垂れ幕部材が備わって成り、前記基材の左右両辺縁に重合させて両端を当該辺縁の船内・船外側の端部から長く突出させて縫着されると共に、一端には荷締機が連設された帯紐状の締結ベルトと、更に前記基材の船外側の端部の前記左右両辺縁に夫々
寄った部位には所定間隔置きで複数本の帯紐状の締付ベルトが、当該端部から突出した先端に簡易締付具を備えて設けられると共に、船内側の端部の前記左右両辺縁に夫々寄った部位には前記船外側に設けた前記帯紐状の締付ベルトに対応させると共に先端を当該端部から長く突出させて同数本の帯紐状の締付ベルトが連設され、前記保護垂れ幕部材には左右方向の両端部から先端を更に横外方へ向かって突出させると共に、両先端に夫々簡易締付具が設けられた帯紐状の締付ベルトが一体に縫着され、且つ、当該締付ベルトに対応して前記基材の船内側の端部には帯紐状の締付ベルトが一体に縫着され、更に前記導索器のラッパ口の船外側の周縁に係止される嵌合部を備えた係止具を備えて構成されている。
【００１４】
以上の構成による導索器用ガードは、ロープが導索器と接触する部位に巻掛けられて、締結される。つまり、図２、３に示すように、この導索器のロープ挿通穴の中心部内周面並びにこれに連なるラッパ口、そしてこのラッパ口の船内、外の前記周縁にわたって、取り付けられる。
【００１５】
より具体的には、先ず、前記保護垂れ幕部材のある側を導索器の船外側にして基材を導索器のロープ挿通孔を通して送り出し、基材の前記中央部分がこの導索器の前記中心部内周面に合うように位置合わせして装着する。引き続き前記係止具の嵌合部を導索器の船外側の周縁に差込む。次いで、図１に示すように、前記基材の左右両辺縁に縫着されている前記締付ベルトの巻取り側となる端を導索器の側部側へ回り込ませて前記荷締機を介して巻き取り、所定の締付け強度に至った時点で巻取りを停止し、締付け作業を完了する。
【００１６】
引き続いて、前記基材の船内・外側の端部の左右両辺縁にそれぞれ寄った部位に所定間隔で縫着されている複数本の巻取り側となる前記締付ベルトの端を導索器の側部側へ回り込ませて前記簡易締結具によって締結する。
【００１７】
そして最後に前記保護垂れ幕部材に設けられた締付け側のベルトとなる船内側の前記締付ベルトの先端を導索器の側部側へ回り込ませて前簡易締付具によって締結する。
【考案の効果】
【００１８】
このように、この考案の請求項１記載の導索器用ガードは、基材を導索器に装着するにあたって、従来の紐を結えると言う手法ではなく、締付ベルトをラチェット式ベルト荷締機等で代表される荷締機やダブルリング等で代表される簡易締結具によって締付ベルトの締付け作業を行うようにしたので、締付け操作の大幅な簡略化が図れる上に、締付け作業の大幅な短縮に寄与できるようになった。
【００１９】
特に、荷締機を前記基材の左右の最上位部分に設けた締付ベルトに取り付け、この荷締機によって巻取り側の締付ベルトを巻き取るので、通常の人力以上の締め付け力を巻取り側並びに締付ベルト全体に働かせることが出来る。従って、ロープによる摩擦力で下方へ引きずられる傾向がある基材の左右上位の位置部分を確りと導索器に抱き付かせておくことが出来る。併せて、前記係止具を導索器の船外側の周縁の左右に係合させることによって、ロープの左右方向の引っ張り力に強力に対抗できるので、基材の取り付け姿勢が妄りに崩れるおそれも少なく、また、基材の船外側の端部が船内側に引き摺り込まれるおそれもなく、一層確りと基材を導索器に装着しておける。
【００２０】
しかも、ロープを引き込む（船内側に巻き込み収納する）際に、ロープはこの基材に擦れ乍ら上がってくるので、その摩擦によって基材の船外側の端部が船内側へ引き込まれる傾向がある。しかし、前記簡易締結具によって導索器にしっかりと締結された前記保護垂れ幕部材の存在によっても、基材の船外側の端部が不用意にロープと共に船内側へ引き摺り込まれるおそれを未然に上手く防止でき、ロープの摩損を一層効果的に防止できる。
【００２１】
また、基材には、夫々に襞が備わっていて、この襞が伸びることによって寸法の長い導索器の前記船内、外側の周縁に対して、基材の船内・外側の端部の長さを上手く合致させることができる。その結果、導索器の前記中心部内周面と前記周縁に寸法差があるにもかかわらず、基材を皺の発生を可及的に少なくして、的確に導索器に巻き掛けて、締結できる。したがってまた、ロープの繰り出し並びに繰り込みを大変滑らかに行え、ロープの滑りを旨く保ち、不用意なロープの摩損を防止できる。
【００２２】
更に、この考案において、請求項２に記載のように、基材は短冊形の複数枚のエステル繊維を主材とした布を縫製して構成されているのが望ましい。
従来の一枚もののようにごわつきがなく、少なくとも基材が蛇腹折れのように小幅で折れ曲がるので、導索器のロープ挿通孔の表面に良く馴染んで接当し、位置ずれするおそれを長日月の間防止できるようになるからである。併せて一般繊維から構成されるので、大変廉価に提供できるからである。
【図面の簡単な説明】
【００２３】
【図１】この考案に係る実施形態の導索器用ガードを示し、基材を導索器に装着した状態を示す部分拡大側面図である。
【図２】基材に各締付ベルト、荷締機並びに簡易締結具を取り付けて拡開された状態を船外側から見た状態を示す説明正面図である。
【図３】基材に各締付ベルトを取り付けて拡開された状態を船内側から見た状態を示す説明正面図である。
【図４】基材を導索器に装着した状態を船外側から見た正面図である。
【図５】基材の導索器に装着した状態を船内側から見た正面図である。
【図６】基材の船外側の裏面に各締付ベルト、荷締機、簡易締結具並びに係止具の取り付け状態を示す裏面図である。
【図７】係止具の取り付け部分の拡大説明断面図である。
【図８】基材を示し、（Ａ）は表布の外観図、（Ｂ）は裏布の外観図である。
【図９】表布と裏布を重合縫製した基材の外観図である。
【図１０】裏布に襞を作製した状態を示す基材の裏面からの外観図である。
【考案を実施するための形態】
【００２４】
以下、図面を参照して本考案に係る導索器用ガードを船舶の甲板に設けられた、導索器の一例であるクローズドチョックに適用した場合について、図１〜１０の記載に基づいて説明する。
【００２５】
尚、以下に示される実施態様は、本考案を具体化するための一形態であって、本考案をその範囲内に限定するものではなく、また、例示された個々の構造、形状は本考案の趣旨と矛盾しない範囲で相互に組み合わせたり、援用したりすることが出来ることは言うまでもない。
【００２６】
船舶の係留などの一般的な仕様に当たっては、図４、５に示すように、ロープＲの一例としての繊維ロープは、前記導索器Ｃのロープ挿通孔Ｃ１の下半分に接触する場合が殆どであるために、ロープ挿通孔Ｃ１の全周を囲繞するのは、かえって無駄であり、又重量も重くなり、取り扱いも不便であるなどの観点から、通常の使用時には、ほぼ下半分に適用できる大きさ寸法であれば十分である。以下、前記導索器Ｃの前記ロープ挿通孔Ｃ１の下半周部分からラッパ口Ｃ２のほぼ下半分に適用できる大きさ寸法に形成された場合について説明する。
【００２７】
本実施形態の導索器用ガードは、図２〜４に示すように、基材１と、この基材１の船外側の端部２に一体に縫着された保護垂れ幕部材３とを備えて構成される。
【００２８】
この基材１は、図２〜５に示すように、導索器Ｃの内外方向に沿った方向の中央部分４がこの導索器Ｃのロープ挿通孔Ｃ１の中心部内周面Ｃ３の下半周分とほぼ同等の長さ寸法に合せて小径で、つまり短く（便宜上、図４でＤと表示）、前記船外側の端部２並びに船内側の端部５に向かうに従って当該導索器Ｃのラッパ口Ｃ２の船外側の周縁Ｃ４並びに船内側の周縁Ｃ５の（図４、５）の下半周部の周長に合せて順次大径に、つまり長く（便宜上、図４でｄと表示）なるように構成されている。
【００２９】
図１〜３に示すように、前記基材１の左・右両辺縁６にはこれに重合させて帯紐状の締結ベルト７が縫着される。この締結ベルト７の両端８、９は当該辺縁６の前記船内・船外側の端部２、５から長く突出され、一方の端８には荷締機１０が連設されている。従って、前記他方の端９の側の締付ベルト部位７Ａがこの荷締機１０によって巻き取られる巻取り側締付ベルト部位となる。
【００３０】
更に、図１, ２に示すように、前記基材１の船外側の端部２の前記左右両辺縁６に夫々寄った部位には所定間隔置きで複数本の別の帯紐状の締付ベルト１１が縫着されている。これらの複数本の別の帯紐状の締付ベルト１１の当該船外側の端部２から突出した端１２には簡易締付具１３が設けられている。一方、図１、３に示すように、船内側の端部５の前記左右両辺縁６に夫々寄った部位には前記船外側に設けた前記複数本の帯紐状の締付ベルト１１に対応させると共に、端１４を当該船内側の端部２から長く突出させて同数本の巻取り側となる帯紐状の締付ベルト１５が連設されている。
【００３１】
また、前記保護垂れ幕部材３の下端にはその左右方向に沿い、この保護垂れ幕部材３の両端部１６を越えた長さの別の締付ベルト１７が縫着されている。そして、その前記両端部１６から更に横外方へ向かって突出した左右の先端１８には夫々簡易締付具１９が設けられていると共に、当該締付ベルト１７に対応して前記基材１の船内側の端部５には巻取り側となる帯紐状の締付ベルト２０が一体に縫着されている。
【００３２】
また、図６に示すように、前記導索器Ｃのラッパ口の船外側の周縁Ｃ４に係止される係止具２１が備わっている。この係止具２１は欧文字のＵ字形状に折り曲げられてなる嵌合部２１Ａを備え、当該嵌合部２１Ａを前記船外側の周縁Ｃ４に嵌合して前記基材１の横ずれを防止するように働く。
【００３３】
以下、上記の構成を更に詳述する。
基材１は矩形マット状を基本の形態としていて、縦横の比率は概ね１対１．３程に形成されている。また、この基材１は、図８（Ａ）、（Ｂ）に示すように、基本的には、矩形の表布２２と、この表布２２の裏面に一体的に縫着された、この表布２２とほぼ同寸の矩形の裏布２３とから構成される。表布２２は前記導索器Ｃに装着されたときに、ロープＲと接触する側で、裏布２３は導索器Ｃ側に接触する。
【００３４】
更に具体的には、前記表布２２並びに裏布２３は、ポリエステル合成繊維を素材にして得られた短冊形（平面視で長方形）の布から成る構成片Ｐ、Ｐ１の夫々複数枚で構成され、図例では、表布２２は７枚、裏布２３は６枚を用いている。これら表布２２並びに裏布２３の前記構成片Ｐ、Ｐ１は共に、長辺側（縦方向に沿う側：図の紙面上の上下方向に沿った方向）の辺縁２２Ａ、２３Ａを互いに付き合せて、矩形に形成して得られる。
【００３５】
この実施例に開示された前記表布２２の縦横の寸法は、前記縦方向（この表布２２の長辺に沿った方向）が６６０ｍｍ、横方向（この表布２２の短辺に沿った方向）が８４０ｍｍに形成されている。また、同様に、裏布２３の縦横の寸法は、前記縦方向（この裏布２３の長辺に沿った方向）が６６０ｍｍ、横方向（この裏布２３の短辺に沿った方向）が７
２０ｍｍに形成されている。更に、各表布２２並びに各裏布２３の夫々の構成片Ｐ、Ｐ１の横幅はほぼ１２０ｍｍに形成されている。
【００３６】
従って、基材１そのものの大きさは、導索器Ｃに装着される前の段階では、縦方向が６６０ｍｍで、横方向が８４０ｍｍに形成されている。しかし、導索器Ｃに装着されて、ロープＲを保護するに当たっては、この基材１の長辺方向、つまり船内・外の前記端部２、５の横幅寸法が前記導索器Ｃの前記ラッパ口Ｃ２の形状に合わせて、中心側よりも長くなるよう特殊な構造が施されている。
【００３７】
即ち、図８、９に示すように、前記表布２２の構成片Ｐ夫々の短辺方向の中央２４が前記裏布２３の前記構成片Ｐ１の長辺側の辺縁２３Ａの付き合せ部分２５の上に位置するようにして、この裏布２３の上に重ね合わせる。次いで、表布２２と裏布２３の夫々の長辺方向の中央部分２６とこの中央部分２６からやや両端２７、２８（図８、９の紙面上の上下端）へ夫々所定の間隔を離れた２か所の都合三箇所で、横一文字状にミシン縫着線２９で示されるように縫着される。これによって、表布２２と裏布２３が長辺方向の中央部分２６で一体に縫着されて基材１が縫製される。図３中、３０は縫着予定線を示す。
【００３８】
従って、この段階では、前記表布２２並びに裏布２３の夫々の前記構成片Ｐ、Ｐ１の前記船内・外側の端部２７、２８から前記ミシン縫着線２９までの部位では自由端になっている。
【００３９】
次いで、図４、５に示すように、前記導索器Ｃのロープ挿通孔Ｃ１の中心部  内周面Ｃ３の半周長Ｄと前記ラッパ口Ｃ２の船内、外の周縁Ｃ４、Ｃ５の半周長ｄの大小差に上手く適応させて、前記基材１をこの導索器Ｃに皺のない状態でより的確に巻き掛けて、締結でき、ひいてはロープＲの繰り出し並びに繰り込みを、ロープＲへの損傷をより少なくして、より一層円滑に行えるようにする必要がある。
【００４０】
この要求を満たすために、先ず図１０に示すように、基材１の船外側の端部２並びに船内側の端部５、つまり前記表布２２、また裏布２３の前記ミシン縫着線２９からそれぞれの長辺側の両端部２７、２８に至る前記自由端となっている辺縁２２Ａ、２３Ａの部位を用いて襞３１を形成し、当該襞３１によって、導索器Ｃの中心部内周面Ｃ３と前記ラッパ口Ｃ２の船内、外の周縁Ｃ４、Ｃ５との寸法差を吸収するようにした。
【００４１】
前記襞３１は、各裏布２３の夫々の前記ミシン縫着線２９から、前記船内、外側の端２７、２８までの前記自由端となっている前記構成片Ｐ１の左右の辺縁２３Ａ夫々が、前記内・外の端２７、２８に向かうほど順次、夫々が対応する表布２２の前記構成片Ｐの長辺側の辺縁２２Ａに、ミシン縫着線３２に示されるように、部分円弧を描くようにしてこの表布２２の構成片Ｐに縫着される。このようにして、裏布２３の６枚の構成片Ｐ１夫々の前記中央部分２６のミシン縫着線２９から外側の部位でその左右の中央部分に、前記船内、外側の端２７、２８程高くなって山形に盛り上がった襞３１が形成される。
【００４２】
この襞３１は、基材１を左右に引っ張ると、図２〜５に示すように、当該襞３１が山形から平らに伸ばされ、この基材１の前記導索器Ｃの前記ラッパ口Ｃ２の船内、外の周縁Ｃ４、Ｃ５に相対する前記船外側の端部２並びに船内側の端部５が横方向に拡がり、その長さを前記中央部分４の部位の長さよりも長く（１１０〜２６０ｍｍ程）できる。その結果、寸法の長い前記導索器Ｃの前記ラッパ口Ｃ２の船内・外側の周縁Ｃ４、Ｃ５に対して、この基材１の船内・外側の相対向する二つの前記端部２、５の長さを上手く合致させることができる。従って、前記導索器Ｃの中心部内周面Ｃ３とラッパ口Ｃ２の前記周縁Ｃ４、Ｃ５との間に寸法差があるにもかかわらず、図４、５に示すように、基材１を皺の発生を可及的に少なくして、的確に導索器Ｃに装着できる。
【００４３】
前記保護垂れ幕部材３は、図２、３に示すように、基材１と同様のポリエステル合成繊維が採用されている。前記基材１の表布２２や裏布２３同様の短冊形（平面視で長方形）の布で、複数枚を横寝かせ姿勢に並べ、互いの上辺縁と下辺縁を横一文字に縫着する、或いは上下方向で互いに重合させるなどして矩形に形成されている。基材１へは、前記襞３１を拡開した姿勢で、当該保護垂れ幕部材３の上端部をこの基材１の前記船外側の端部２の左右方向の中央部位２Ａに一体に縫い付けて一体に取り付けられる。
【００４４】
また、基材１の左右両辺縁６に縫着される前記締付ベルト７は、帯紐状のスリングベルトが採用されている。基材１の左右両辺縁６は、図１、４、５に示すように、当該基材１を導索器Ｃに装着した時には、下半分の内でも最も上位に位置する。そのために、当該上位の位置の基材１部分はロープＲによる摩擦力で下方へ引きずられる傾向があるため、特にこの上位の位置部位を確りと導索器Ｃに抱き付かせておく必要が生じる。斯かる理由から、前記締付ベルト７の船外側の一端８には荷締機１０、図例ではラチェット式ベルト荷締機が取り付けられ、人力以上の締め付け力が働くように構成されている。
【００４５】
この荷締機１０は周知の構造であって、前記締付ベルト７の巻取り側となる端９を通す溝を備えた巻取り軸１０Ａと逆転防止のためのラチェット構造部（図外）と前記巻取り軸１０Ａを回転操作する操作レバー１０Ｂを備えて成る。締付ベルト７の締付け要領、操作手順は周知のとおりである。
【００４６】
また、前記基材１の船外側の端部２の前記左右両辺縁６に夫々寄った部位に所定間隔置きで縫着された複数本の別の帯紐状の締付ベルト１１、更に船内側の端部５の前記左右両辺縁６に夫々寄った部位に前記船外側に設けた前記複数本の帯紐状の締付ベルト１１に対応させて同数本設けられた帯紐状の締付ベルト１５は共に帯紐状のスリングベルトが採用されている。更に、図１〜５に示すように、前記基材１の船外側の端部２から突出する側の締付ベルト１１の端１２に設けられた簡易締付具１３には、本実施形態では、一例として欧文字のＤ字形のダブルリングが採用されている。当該ダブルリングはこの締付ベルト１１の先端に設けられたアイ３３（図１参照）に取り付けられる。
【００４７】
次に、前記保護垂れ幕部材３は、図２〜４に示すように、前記基材１の前記船外側の端部２で、その左右方向の中央部位２Ａに一体に連設されている。この保護垂れ幕部材３に縫着された前記別の締結ベルト１７の左右の先端１８には夫々前記と同様のダブルリングから成る簡易締付具１９が設けられていると共に、当該締付ベルト１７に対応して前記基材１の船内側の端部５には、図３に示すように、締付け側となる帯紐状の締付ベルト２０がその先端３４をこの保護垂れ幕部材３の左右方向の両端部１６から横外方へ長く突出させて一体に縫着されている。
【００４８】
この簡易締結具１９の締付け操作は、前記基材１に設けられた前記締付ベルト１５の簡易締結具１３の締付操作と同じ操作で行われる。この場合も簡便に締付ベルト２０の締め付けが可能で、ひいては、基材１の装着姿勢が確保され、作業能率の大幅な改善並びに作業時間の大幅な短縮が図れる。
【００４９】
特に、この保護垂れ幕部材３に設けられた前記別の締付ベルト１７と当該別の締付ベルト１７に対応する前記基材１の船内側の端部５に設けられた前記締付ベルト２０とは共に、他の前記締付ベルト１１、１５とは異なり、注目されやすい明るい色調を持つベルトスリングを用いて作られている。保護垂れ幕部材３の締付ベルトであることを明示して、前記他の締付ベルト１１、１５と間違わないようにするための配慮である。
【００５０】
更に、前記基材１は、図６、７に示すように、前記導索器Ｃのラッパ口Ｃ２の船外側の
周縁Ｃ４に係止される係止具２１を備えている。当該係止具２１はその嵌合部２Ａを前記周縁Ｃ４に嵌合させる。
【００５１】
そして、前記係止具２１は、金属板製で、図６、７に示すように、前記基材１の船外側の端部２にその幅方向に沿って所定間隔を開けて取り付けられる。尚、図例では４か所に設けられる。この係止具２１は、図７に示すように、長方形の平板部分２１Ｂを備え、その長尺方向の一端側と他端側が夫々欧文字のＵ字形状に折り曲げられている。一端側は前記導索器Ｃのラッパ口Ｃ２の船外側の周縁Ｃ４に嵌合される前述の嵌合部２１Ａである。また、他端側は前記嵌合部２１Ｂとは反対側に回り込んで折り曲げられて係合部２１Ｃに形成される。この係合部２１Ｃは、そのＵ字形の凹入部の幅が前記嵌合部２１Ａよりも狭く形成され、基材１側とこれに逢着してあるに布製の取付け片２１Ｄの間に差し込んで取り付けられる。この係止具２１は、その前記嵌合部２１ＡのＵ字形の凹入を前記ラッパ口Ｃ２の船外側の周縁Ｃ４に嵌合させて、前記導索器Ｃに対する位置ずれ、殊に横ずれを上手く防止し、基材１の装着姿勢を確保するように働く。
【００５２】
このように構成された導索器用ガードは、ロープＲがクローズドチョックＣと接触する部位に巻掛けられて、締結される。つまり、図１、４、５に示すように、このクローズドチョックＣのロープ挿通穴Ｃ１の中心部内周面Ｃ３並びにこれに連なるラッパ口Ｃ２、そしてこのラッパ口Ｃ２の船内、外の前記周縁Ｃ４、Ｃ５にわたって、取り付けられる。
【００５３】
より具体的には、先ず、前記保護垂れ幕部材３のある側を導索器Ｃの船外側にして基材１を導索器Ｃのロープ挿通孔Ｃ１を通して送り出し、基材１の前記中央部分４がこの導索器Ｃの前記中心部内周面Ｃ３に合うように位置合わせして装着する。
【００５４】
引き続き前記係止具２１の嵌合部２１ＡのＵ字形の凹入を導索器Ｃの船外側の周縁Ｃ４に差込む。
【００５５】
次いで、前記係止具２１の嵌合部２１ＡのＵ字形の凹入が導索器Ｃの船外側の周縁Ｃ４に確りと差し込まれたことを確認した後に、前記基材１の左右両辺縁６に縫着されている、前記締付ベルト７の巻取り側となる端９を導索器Ｃの側部側へ回り込ませて前記荷締機１０の巻取り軸１０Ａの溝に通し、そのまま弛みのない程度に引っ張り、長さを調整する。次いで、操作レバー１０Ｂを数回前後に動かしてこの締付ベルト７の巻取り側を巻き取り、所定の締付け強度に至った時点で巻取りを停止し、操作レバー１０Ｂを倒してロックし、締付け作業を完了する。
【００５６】
前記荷締機１０は、通常の人力以上の締め付け力を巻取り側並びに締付ベルト７全体に働くように構成されているので、ロープＲによる摩擦力で下方へ引きずられる傾向がある基材１の左右上位の位置部分を確りと導索器Ｃに抱き付かせておくことが出来る。
【００５７】
引き続いて、前記基材１の船内・船外側の端部２、５の左右両辺縁６にそれぞれ寄った部位に所定間隔で縫着されている複数本の巻取り側となる前記締付ベルト１５の端１４を導索器の側部側へ回り込ませ、二つのリング内に一旦挿通させ、その後ダブルリングの内の一つＤリングを通し、所要の位置まで締付ベルト１５を引っ張ることによって締結できるものである（以上の緊締操作は従来周知である）。以上の作業を、上位の締付ベルト１５から順に下位の締付ベルト１５へと繰り返して、これら締付ベルト１５の締付けを完了する。ダブルリングからなる簡易締付具１３を用いることで簡便に締付ベルト１５の締め付けが可能で、ひいては、基材１の装着姿勢が確保され、作業能率の大幅な改善並びに作業時間の大幅な短縮が図れる。
【００５８】
そして最後に前記保護垂れ幕部材３に設けられた締付け側のベルトとなる船内側の前記
締付ベルト２０の先端３４を導索器Ｃの側部側へ回り込ませ、先と同様にして、前簡易締付具１９の二つのリング内に一旦挿通させ、その後ダブルリングの内の一つＤリングを通し、所要の位置まで当該締付ベルト２０を引っ張ることによって締結できるものである。ダブルリングからなる簡易締付具１９用いることで簡便に締付ベルト２０の締め付けが可能で、ひいては、基材１の装着姿勢が確保され、作業能率の大幅な改善並びに作業時間の大幅な短縮が図れる。
【００５９】
従って、ロープＲは常にこの基材１に接触して、導索器Ｃには直に接触することがなく、ロープＲの摩損を可及的に少なくでき、耐用年数を格段に長くできる。
【００６０】
このように、基材１を導索器Ｃに装着するにあたって、従来の紐を結えると言う手法ではなく、締付ベルトを荷締機１０の一例としてのラチェット式ベルト荷締機や簡易締結具１３、１９の一例としてのダブルＤリングを採用して締付ベルトの締付け作業を行うようにしたので、締付け操作の大幅な簡略化が図れる上に、締付け作業の大幅な短縮に寄与できるようになった。
【００６１】
特に、荷締機１０を前記基材１の左右の最上位部分に設けた締付ベルト７に取り付けてこれによって巻取り側の締付ベルト９を巻き取ることによって、通常の人力以上の締め付け力を巻取り側並びに締付ベルト７全体に働かせることが出来、ロープＲによる摩擦力で下方へ引きずられる傾向がある基材１の左右上位の位置部分を確りと導索器Ｃに抱き付かせておくことが出来る。併せて、前記係止具２１を導索器Ｃの船外側の周縁Ｃ４の左右に噛ませることによって、ロープＲの左右方向の引っ張り力に強力に対抗できるので、基材１の取り付け姿勢が妄りに崩れるおそれも少なく、一層確りと基材１を導索器Ｃに装着しておける。
【００６２】
また、ロープＲを引き込む（船内側に巻き込み収納する）際に、ロープＲはこの基材１に擦れ乍ら上がってくるので、その摩擦によって基材１の船外側の端部２が船内側へ引き込まれる傾向がある。しかし、締結具１９によって導索器Ｃにしっかりと締結された前記保護垂れ幕部材３を設けることによって、基材１の船外側の端部２が不用意にロープＲと共に船内側へ引きずり込まれるおそれを未然に上手く防止でき、ロープＲの摩損を一層効果的に防止できる。
【００６３】
更に、基材１を夫々短冊形に形成された複数枚の構成片Ｐ、Ｐ１から成る表布２２と裏布２３から構成し、しかもそれらの長辺側の辺縁２２Ａ、２３Ａを夫々互いに付き合せ、且つ前記表布２２と裏布２３は互いの短辺方向に位相を異ならせて重合させて一体に縫着されて矩形に形成されたものであるから、蛇腹折れのように小幅で折れ曲がり易く、導索器Ｃのラッパ口Ｃ２の前記船内、外の周縁Ｃ４、Ｃ５の周長ｄに上手く馴染ませて、皺の発生の少ない状態でより的確に巻き掛けることができる。更に、表布２２と裏布２３の夫々の構成片Ｐ、Ｐ１の長辺の付き合せ部位をラップさせないで、位相を異ならせて一体縫着してあるので、強度弱点部位が生ずるのを上手く阻止でき、長日月の使用にも十分安全に対応できる。
【００６４】
また、基材１には、夫々に襞３１が備わっていて、この襞３１が伸びることによって寸法の長い導索器Ｃの前記船内、外周縁Ｃ４、Ｃ５に対して、基材１の船内・外の端部２、５の長さを、これら各周縁Ｃ４、Ｃ５の長さに上手く合致させることができる。その結果、導索器Ｃの前記中心部内周面Ｃ３と前記周縁Ｃ４、Ｃ５に寸法差があるにもかかわらず、基材１を皺の発生を可及的に少なくして、的確に導索器Ｃに巻き掛けて、締結できる。したがってまた、ロープＲの繰り出し並びに繰り込みを大変滑らかに行え、ロープＲの滑りを旨く保ち、不用意なロープＲの摩損を防止できる。
【００６５】
以上の実施例において、クローズドチョックに代えてオープンチョップ、更にはフェアリーダー（ｆａｉｌｅａｄｅｒ）にも適用できることは言うまでもない。
【符号の説明】
【００６６】
１…基材
２…船外側の端部
２Ａ…中央部位
３…保護垂れ幕部材
４…基材の中央部分
５…船内側の端部
６…左右両辺縁
７、１１、１５、１７、２０…締付ベルト
１０…荷締機
１３、１９…簡易締結具
２１…係止具
１３…左右両辺縁
２２…表布
２３…裏布
３１…襞
Ｃ…クローズドチョック
Ｃ１…ロープ挿通孔
Ｃ２…ラッパ口
Ｃ３…中心部内周面
Ｃ４…船外側の周縁
Ｃ５…船外側の周縁
Ｐ、Ｐ１…構成片
Ｒ…ロープ
【手続補正２】
【補正対象書類名】実用新案登録請求の範囲
【補正対象項目名】全文
【補正方法】変更
【補正の内容】
【実用新案登録請求の範囲】
【請求項１】
導索器の内外方向に沿った方向の中央付近がこの導索器のロープ挿通孔の中心部内周面寸法に合せて小径で、内外両端部に向かうに従って当該導索器のラッパ口の周縁の周長に合せて順次大径に構成された基材と、この基材の船外側の端部でその左右方向中央部位に一体に連設された保護垂れ幕部材が備わって成り、前記基材の左右両辺縁に重合させて両端を当該辺縁の船内・船外側の端部から長く突出させて縫着されると共に、一端には荷締機が連設された帯紐状の締結ベルトと、更に前記基材の船外側の端部の前記左右両辺縁に夫々寄った部位には所定間隔置きで複数本の帯紐状の締付ベルトが、当該端部から突出した先端に簡易締付具を備えて設けられると共に、船内側の端部の前記左右両辺縁に夫々寄った部位には前記船外側に設けた前記帯紐状の締付ベルトに対応させると共に先端を当該端部から長く突出させて同数本の帯紐状の締付ベルトが連設され、前記保護垂れ幕部材には左右方向の両端部から先端を更に横外方へ向かって突出させると共に、両先端に夫々簡易締付具が設けられた帯紐状の締付ベルトが一体に縫着され、且つ、当該締付ベルトに対応して前記基材の船内側の端部には帯紐状の締付ベルトが一体に縫着され、更に前記導索器の船外側のラッパ口の周縁に係止される嵌合部を備えた係止具を備えていることを特徴とする導索器用ガード。
【請求項２】
基材は短冊形の複数枚のエステル繊維を主材とした布を縫製して構成されている請求項１記載の導索器用ガード。
【請求項３】
簡易締付具はダブルリングから成る請求項１〜２のいずれかに記載の導索器用ガード。
【請求項４】
簡易締付具は荷締機である請求項１〜３のいずれかに記載の導索器用ガード。